(57)【特許請求の範囲】
【請求項１】
窓の外側上部に、スクリーンを巻き取り及び巻き出し制御したスクリーン巻取機と、
窓の左右両側にそれぞれ下端側を支点にして垂直方向に回動するとともに上端側が外側に向けて回動付勢された垂直アームを備え、前記スクリーンの下端側を垂直アームの上端部に連結し、前記スクリーン巻取機から巻き出されるスクリーンの窓上部における通過位置を窓から外側水平方向に向けて移動可能にしたスクリーン繰出位置移動手段を有し、
前記スクリーン繰出位置移動手段は、スクリーン巻取機自体が水平方向に移動する移動機構を有するか又は、スクリーンの窓上部繰出位置を窓上部近傍位置と当該窓上部近傍より外側に突出した外側突出位置とに移動又は切り換える繰出部材であり、
前記繰出部材は、前記垂直アームに設けた係止部により外側方向の回動を規制するとともに外側に向けて回動付勢された左右両側一対の繰出垂直アームの上端部に連結してあり、当該繰出垂直アームはストッパ部材により外側方向の回動を規制又は解除可能になっていることを特徴とする日除け装置。
【発明の詳細な説明】
【技術分野】
【０００１】
本発明は窓の外側に取り付け、スクリーンの繰り出しにより遮光機能と通風機能を備えた日除け装置に関し、特に突き出し窓、すべり出し窓等、外側に突出するタイプに対して窓とスクリーンとの間に所定の空間を形成することで通風を確保しながら、遮光できる日除け装置に係る。
【背景技術】
【０００２】
外壁窓から過度の日差しが入り込むのを防止する目的で庇やロールスクリーン等を窓の外側に取り付けることは従来から実施されている。
近年、突き出し窓、すべり出し窓等壁面から外側に突出するように開く窓が採用されたり、洗濯物を陰干ししたいニーズ等、生活態様の変化に対応できる日除け装置のニーズが高くなっている。
例えば特許文献１に窓の左右両側に設けたリンク機構を用いて、スクリーンの下端部を連結したアームを外側に倒すことでスクリーンを外側に張り出すオーニング（日除け）を開示する。
しかし、同公報に開示するリンク機構は、アームの下端がスライドレールに沿って上昇することで先端が外側に倒れるものであり、構造が複雑であるとともに庇としての機能を有するにとどまり、窓の外側に所定の空間を設けつつ、窓開口部全面を遮蔽できるものではない。
特許文献２は、繰り出されたスクリーンと両側の縦部材とで窓の外側に四角形状空間を形成する日除け装置を開示する。
しかし、同公報に開示する技術は、スクリーンを一旦窓の下側まで繰り出してから四角形状の空間を形成するものであり操作機構が複雑である。
【先行技術文献】
【特許文献】
【０００３】
【特許文献１】特開２００３−２６８９４３号公報
【特許文献２】特開平８−２７９８１号公報
【発明の概要】
【発明が解決しようとする課題】
【０００４】
本発明は、構造が簡単で操作性に優れ、窓の外側に庇状態、全遮光状態の形成及び全遮光状態においてスクリーンと壁（窓）との間に所定の空間を形成する各種使用モードに切り換えるのが容易な日除け装置の提供を目的とする。
【課題を解決するための手段】
【０００５】
本発明に係る日除け装置は、窓の外側上部に、スクリーンを巻き取り及び巻き出し制御したスクリーン巻取機と、窓の左右両側にそれぞれ下端側を支点にして垂直方向に回動するとともに上端側が外側に向けて回動付勢された垂直アームを備え、前記スクリーンの下端側を垂直アームの上端部に連結し、前記スクリーン巻取機から巻き出されるスクリーンの窓上部における通過位置を窓から外側水平方向に向けて移動可能にしたスクリーン繰出位置移動手段を有することを特徴とする。
【０００６】
ここで、スクリーン巻取機から巻き出されるスクリーンの窓上部における通過位置とは具体的に説明すると次の通りである。
窓の外側をスクリーンで遮光する場合に、
（１）窓の上部から外側に向けて庇状にスクリーンを張り出す庇モード。
（２）窓の上部から窓の外側に沿って窓の下部まですだれのように垂れ下がる全閉モード。
（３）窓の上部であって外側に壁と所定の距離をおいた位置から垂直方向にスクリーンが下がることで窓の外側に所定の空間を形成する空間モード。
の少なくとも３種類の遮光モードがある。
この場合に全閉モードと空間モードとの相違は、窓の上部におけるスクリーンの繰り出し位置が窓の近傍か、窓から外側に所定距離をおいた位置かによることになる。
よって本明細書にあって、スクリーンの窓上部における通過位置とは前記全閉モードと空間モードとを切り換えるためのスクリーン通過位置を意味し、この切り換えをスクリーン繰出位置移動手段によって行う趣旨である。
【０００７】
本発明にあって、前記スクリーン繰出位置移動手段は、スクリーン巻取機自体が水平方向に移動する移動機構を有するか又は、スクリーンの窓上部繰出位置を窓上部近傍位置と当該窓上部近傍より外側に突出した外側突出位置とに移動又は切り換える繰出部材であってもよく、また前記繰出部材は、前記垂直アームに設けた係止部により外側方向の回動を規制するとともに外側に向けて回動付勢された左右両側一対の繰出垂直アームの上端部に連結してあり、当該繰出垂直アームはストッパ部材により外側方向の回動を規制又は解除可能な構造を採用してもよい。
【発明の効果】
【０００８】
本発明にあっては、スクリーンの巻取機の位置又はスクリーンの窓上部繰出部材の位置を窓近傍と外側方向突出位置とに切り換えるだけで、全閉モードと空間モードとの切り換えが可能であり、繰出部材を左右両側一対の繰出垂直アームの上端部に連結してあると、巻取機によりスクリーンの巻き出し量を制御するだけでスクリーンによる庇角度を調整することができ、ストッパ部材による繰出垂直アームの回動をロック又は解除する切り換え操作により全閉モードと空間モードとに切り換えることができる。
これにより、操作性に優れ構造が簡単で安価な日除け装置が得られる。
日除け装置を空間モードにて使用した場合に窓を外側に開いてもスクリーンと干渉することがないので通風性を確保しつつ、遮光を図ることができ開放感がある。
また、洗濯物を陰干しする空間として使用することもできる。
【図面の簡単な説明】
【０００９】
【図１】実施例１に係る日除け装置の構造例を示す。
【図２】実施例２に係る日除け装置の構造例を示す。
【図３】実施例３に係る日除け装置の構造例を示す。
【図４】実施例４に係る日除け装置の構造例を示す。
【図５】実施例１に係る日除け装置の斜視図を示す。
【発明を実施するための形態】
【００１０】
本発明に係る日除け装置を以下実施例に基づいて具体的に説明するが、本実施例に本発明が限定されるものではない。
【実施例１】
【００１１】
実施例１における日除け装置の構成例と使用モードの切り換え方法を図１に示す。
なお、図５は空間モードにおける斜視図である。
本実施例は壁（外壁）１に外側に開く窓２を形成した窓開口部に日除け装置１０を取り付けた例であるが、窓構造はスライド窓等形態を問わない。
窓の上部にロールスクリーンの巻取機１１を取り付け、スクリーンの繰り出し先端（下端部）１５ａを窓の左右両側にそれぞれ設けた一対の垂直アーム１３の上端部１３ａに連結してある。
巻取機１１はスクリーンを巻き出し、巻き取り制御し、その巻き出し量の調整が可能になっている。
垂直アーム１３は下端部１３ｂを軸中心にして垂直方向に回動自在になっているとともに図示を省略したが、上端が外側に向けて回動する方向に付勢されている。
付勢方法はトーションバネ、コイルバネ、引張りバネ等手段を問わない。
【００１２】
垂直アーム１３の内側に下端部１４ｂを軸中心にして外側方向に回動付勢された繰出垂直アーム１４を左右一対有する。
繰出垂直アーム１４は垂直アーム１３に設けた係止部１３ｃに干渉し、垂直アーム１３より外側に回動しないように規制されている。
この繰出垂直アーム１４はストッパ１６により所定の角度までしか回動できない状態と、ストッパ１６の解除により下側に向けて回動するフリー状態に切り換えることができる。
一対の繰出垂直アーム１４の上端部間に繰出部材１２を有し、この繰出部材１２により窓上部のスクリーン１５の繰出位置が制御される。
【００１３】
次に使用モードの切り換えについて説明する。
図１（ａ）はスクリーン１５が巻取機１１にて完全に巻き取られ、全開した状態である。
この状態からスクリーン１５を所定量巻き出すと、図１（ｂ）に示すように垂直アーム１３が外側回動方向に付勢されているので庇モードになる。
この場合に繰出垂直アーム１４も係止部１３ｃの移動に追随し、外側に回動する。
さらにスクリーン１５を巻き出すと、図１（ｃ）に示すように垂直アーム１３の先端部１３ａが下側になるように回動するが、繰出垂直アーム１４の回動が途中で止まるようにストッパ１６が設けられているために繰出部材１２が窓の上方かつ外側に位置した状態になり、空間モードが形成される。
この状態でストッパ１６を解除すると繰出垂直アーム１４も先端部１４ａが下向きになるまで回動し、図１（ｄ）に示すように全閉モードになる。
【実施例２】
【００１４】
実施例２に係る構造を図２に示す。
実施例１との相違点は垂直アーム２３の長さを繰出垂直アーム２４の長さよりも短くし、垂直アーム２３の下端部２３ｂを繰出垂直アーム２４の途中に軸支させた点及びストッパ２６は繰出垂直アーム２４をほぼ垂直状態を維持するか回動をフリーの状態に切り換えるかの役目を有し、繰出垂直アーム２４はストッパ２６とは別の手段にて予め所定の角度までしか回動しないように規制してある点にあり、他の部分は実施例１と共通する。
図２（ａ）はスクリーン１５を巻取機１１にて完全に巻き取った状態を示し、スクリーンの全開モードである。
ストッパ２６により繰出垂直アーム２４が回動しないように規制したまま、スクリーン１５を巻き出すと、図２（ｄ）に示すように垂直アーム２３のみが回動し、全閉モードになる。
一方、ストッパ２６を解除し、スクリーン１５を所定量巻き出すと図２（ｂ）に示すように繰出垂直アーム２４が垂直アーム２３の係止部２３ｃに係止しながら下端部２４ｂを中心に回動し、庇モードになる。
さらにスクリーン１５を巻き出すと図２（ｃ）に示すように予め繰出垂直アーム２４は所定角度までしか回動しないようになっているので空間モードになる。
【実施例３】
【００１５】
実施例３は窓の上部に庇部３を予め有する場合の例である。
この場合に窓の左右には一対の垂直アーム３３を下端部３３ｂを軸中心にして外側及び下側に向けて先端部３３ａが回動するように付勢されている。
垂直アーム３３の先端部３３ａはスクリーンの下端部と連結されているので、そのままスクリーン１５を巻き出すと図３（ｂ）に示すように全閉モードになる。
これに対して予めブラケット３２ａで仮置きしてあったバー状の繰出部材３２を図３（ｃ）に示すように窓上部でかつ外側に位置するブラケット３２ｂに移動するだけでスクリーン１５の繰出位置が規制され空間モードになる。
【実施例４】
【００１６】
実施例４は庇部３に設けた巻取機１１に窓近傍位置と突出位置に切り換わる移動機構４を設けた例である。
このようにすると図４（ａ）に示した巻取機１１が窓側にある状態４ａでスクリーン１５を巻き出すと図４（ｂ）のように全閉モードになり巻取機１１を図４（ｃ）に示すように突出位置４ｂに移動すると空間モードになる。
【符号の説明】
【００１７】
１      壁
２      窓
１０    日除け装置
１１    巻取機
１２    繰出部材
１３    垂直アーム
１３ｃ  係止部
１４    繰出垂直アーム
１５    スクリーン
１６    ストッパ
【図１】
0005671287.tif 000002
【図２】
0005671287.tif 000003
【図３】
0005671287.tif 000004
【図４】
0005671287.tif 000005
【図５】
0005671287.tif 000006